(57)【要約】【課題】  装着対象動物にかかるストレスを軽減できるようにする。【解決手段】  メッシュ材料により馬蹄形状に形成したメッシュ部材５の周縁部の一側面部に、可撓性を有するプラスチック製の薄板材料により形成した補強枠部材６を、重ねるよう配置して一体に取り付ける。同様のプラスチック製の薄板材料によりメッシュ部材５の径方向に延びる径方向補強部材７を形成して、メッシュ部材５の一側面部における周方向所要間隔の３個所に取り付ける。メッシュ部材５の周方向両端部に、リングスナップ３のオス部材３ａとメス部材３ｂをそれぞれ取り付けてエリザベスカラー１ａを形成する。エリザベスカラー１ａの馬蹄形状の部材をメッシュ部材５とすることで軽量化を図ると共に通気性を確保させる。【選択図】図１
0003126976.tif 000002
【実用新案登録請求の範囲】
【請求項１】
メッシュ材料により所要の内外径を備えたリング形状の一部を切り欠いた馬蹄形状に形成してなるメッシュ部材と、可撓性を有する薄板材料により上記メッシュ部材の馬蹄形状の周縁部に全長に亘り沿う形状に形成して上記メッシュ部材の周縁部に取り付けた補強枠部材と、上記馬蹄形状のメッシュ部材の周方向両端部同士を取り外し可能に連結してメッシュ部材を漏斗形状に保持させるようにするための連結具とを備えてなる構成を有することを特徴とするエリザベスカラー。
【請求項２】
馬蹄形状のメッシュ部材の周方向所要個所に、径方向に延びる径方向補強部材を取り付けた請求項１記載のエリザベスカラー。
【請求項３】
補強枠部材の周縁部を、布テープにより縁取るようにした請求項１又は２記載のエリザベスカラー。
【考案の詳細な説明】
【技術分野】
【０００１】
本考案は、犬や猫等の動物の頸部に装着して、該動物の口から怪我や手術による傷口、皮膚疾患等の患部を保護するために用いるエリザベスカラーに関するものである。
【背景技術】
【０００２】
犬や猫等の動物が怪我をしたり、手術を受けたり、皮膚疾患を患った場合には、該動物が、上記怪我や手術後の患部の傷口や、皮膚疾患の患部を舐めたり、噛んだりすることで、該患部の傷や症状を悪化させてしまうことがある。
【０００３】
そのために、上記のような動物の患部を該動物の口から保護することが求められ、そのための保護具として、図２（イ）（ロ）にその一例の概略を示す如きエリザベスカラー１が広く一般的に用いられてきている。
【０００４】
すなわち、上記従来用いられているエリザベスカラー１は、通常、可撓性を有するプラスチック製の薄板材料により、内径及び外径をそれぞれ所要の寸法としてなるリング形状の周方向の１個所を所要角度範囲に亘り切り欠いた馬蹄形状のシート部材２を製作し、該馬蹄形状のシート部材２の周方向の両端部に、互いに着脱自在な連結具として、たとえば、リングスナップ３のオス部材３ａとメス部材３ｂをそれぞれ取り付けてなる構成としてある。これにより、上記シート部材２を丸めるように弾性変形させて、該シート部材２の周方向の両端部同士が所要寸法重なるようにした後、上記シート部材２の周方向両端部に設けてあるリングスナップ３のオス部材３ａとメス部材３ｂとを互いに係止させることで、該シート部材２の周方向の両端部同士を取り外し可能に連結して、上記エリザベスカラー１の全体形状を、一端側に小径の開口部を有し、且つ他端側に向けて拡径する漏斗形状（載頭円錐形状）とさせることができるようにしてある。
【０００５】
したがって、上記エリザベスカラー１を使用する場合は、先ず、馬蹄形状に展開された状態のエリザベスカラー１の中央部に形成される円弧の内側に、対象となる動物４の頸部を位置させた後、該エリザベスカラー１の全体形状を、上記動物４の頭部の周りを取り囲むように漏斗状に丸め、しかる後、上記スナップボタン３のオス部材３ａとメス部材３ｂとを係止させることにより該エリザベスカラー１を漏斗形状にして一端側の小径の開口部を、上記動物４の頸部の外周に装着して保持させることができるようにしてある。これにより、上記動物４の頭部の周りには、上記エリザベスカラー１のシート部材２が、全周に亘って取り囲むように配されることから、該動物４が、胴部における怪我や手術後の傷口のある患部や皮膚疾患のある患部に対して口を近付けることができないようにしてある。
【考案の開示】
【考案が解決しようとする課題】
【０００６】
ところが、従来のエリザベスカラー１は、プラスチック製の薄板材により馬蹄形状のシート部材２を製作するようにしていたため、重量が嵩むという問題があり、このため、小型の犬や猫等の動物４の頸部に装着すると、該動物の負担が大きくなってストレスが大きくなる虞がある。更に、上記プラスチック製の薄板材により形成されたシート部材２には通気性がないため、このことによっても、エリザベスカラー１を装着した動物４のストレスが大きくなるという問題がある。
【０００７】
そこで、本考案は、軽量で且つ通気性に優れて、装着対象動物にかかるストレスを軽減させることができるエリザベスカラーを提供しようとするものである。
【課題を解決するための手段】
【０００８】
本考案は、上記課題を解決するために、メッシュ材料により所要の内外径を備えたリング形状の一部を切り欠いた馬蹄形状に形成してなるメッシュ部材と、可撓性を有する薄板材料により上記メッシュ部材の馬蹄形状の周縁部に全長に亘り沿う形状に形成して上記メッシュ部材の周縁部に取り付けた補強枠部材と、上記馬蹄形状のメッシュ部材の周方向両端部同士を取り外し可能に連結してメッシュ部材を漏斗形状に保持させるようにするための連結具とを備えてなる構成とする。
【０００９】
又、上記構成において、馬蹄形状のメッシュ部材の周方向所要個所に、径方向に延びる径方向補強部材を取り付けた構成とする。
【００１０】
更に、上記各構成において、補強枠部材の周縁部を、布テープにより縁取るようにした構成とする。
【考案の効果】
【００１１】
本考案のエリザベスカラーによれば、以下の如き優れた効果を発揮する。 
（１）メッシュ材料により所要の内外径を備えたリング形状の一部を切り欠いた馬蹄形状に形成してなるメッシュ部材と、可撓性を有する薄板材料により上記メッシュ部材の馬蹄形状の周縁部に全長に亘り沿う形状に形成して上記メッシュ部材の周縁部に取り付けた補強枠部材と、上記馬蹄形状のメッシュ部材の周方向両端部同士を取り外し可能に連結してメッシュ部材を漏斗形状に保持させるようにするための連結具とを備えてなる構成としてあるので、上記メッシュ部材により漏斗形状を形成させるときの一端側に形成される小径の開口部を装着対象動物の頸部装着させることで、該装着対象動物の頭部の周囲に、上記漏斗形状を形成させるメッシュ部材を配置することができるため、上記装着対象動物の怪我や手術後の傷口、あるいは皮膚疾患のある患部を該動物の口から保護することができる。 
（２）更に、上記本考案のエリザベスカラーは、メッシュ材料により馬蹄形状の部材としてのメッシュ部材を形成させるようにしてあることから、従来のエリザベスカラーに比して軽量化を図ることができ、しかも、通気性を確保することができる。よって、上記本考案のエリザベスカラーを装着する動物にかかるストレスの軽減化を図ることができる。 
（３）馬蹄形状のメッシュ部材の周方向所要個所に、径方向に延びる径方向補強部材を取り付けた構成とすることにより、上記メッシュ部材の馬蹄形状をより確実に保持させることができ、本考案のエリザベスカラーを頸部に装着した動物が、怪我や手術あるいは皮膚疾患による患部を舐めたり噛んだりしようとする動作を行うときにも容易に屈曲しないような強度をエリザベスカラー全体に十分に確保することができる。 
（４）補強枠部材の周縁部を、布テープにより縁取るようにした構成とすることにより、上記メッシュ部材と補強枠部材、更には、上記径方向補強部材の端部が、馬蹄形状の周縁部に露出されないようにすることができて、上記メッシュ部材や補強枠部材や径方向補強部材の端部の硬いエッジ部分が、装着対象となる動物や、取付作業を行う作業者の手等の外部のものに直接触れる虞を未然に防止することができる。
【考案を実施するための最良の形態】
【００１２】
以下、図面に基づき本考案を実施するための最良の形態を説明する。
【００１３】
図１（イ）（ロ）は、本考案のエリザベスカラーの実施の一形態を示すもので、ナイロンチュール等のメッシュ材料により、図２（イ）（ロ）に示したシート部材２と同様の馬蹄形状のメッシュ部材５を形成する。又、可撓性を有するポリプロピレン等のプラスチック製の薄板材料により、上記メッシュ部材５の馬蹄形状の周縁部に全周に亘って沿う枠形状、具体的には、上記メッシュ部材５の馬蹄形状の外周部に沿って延びる外周円弧部６ａと、内周部に沿って延びる内周円弧部６ｂと、該外周円弧部６ａと内周円弧部６ｂの両端部同士をつなぐように、径方向に延びる連結部６ｃとを一体に連結して、中央に上記メッシュ部材５よりも一回り小さい馬蹄形状の開口部を設けてなる補強枠部材６を形成し、上記メッシュ部材５の一側面部に、該補強枠部材６を重ねるように配置して、上記メッシュ部材５に一体に連結する。
【００１４】
更に、上記補強枠部材６と同様のプラスチック製の薄板材料により、所要の幅寸法で上記メッシュ部材５の馬蹄形状の内周縁部から外周縁部に達するように径方向に延びる径方向補強部材７を形成して、上記メッシュ部材５の一側面部における周方向所要間隔の複数個所（図では３個所）に、上記径方向補強部材７をそれぞれ配置すると共に、該各径方向補強部材７を、上記メッシュ部材５及び補強枠部材６と一体となるように取り付けて、上記メッシュ部材５を補強するようにしてある。上記各径方向補強部材７の両端部は、上記補強枠部材６の外周円弧部６ａと、内周円弧部６ｂの周方向の対応する個所にそれぞれ連結させるようにしてある。
【００１５】
上記メッシュ部材５と補強枠部材６と径方向補強部材７を一体化したものの周縁部には、グログランテープ等の布テープ８による縁取りを設ける。これにより、上記メッシュ部材５と補強枠部材６と径方向補強部材７の端部が、馬蹄形状の周縁部に露出されないようにすることで、上記メッシュ部材５や補強枠部材６や径方向補強部材７の端部の硬いエッジ部分が、取付対象となる動物４や、取付作業を行う作業者の手等の外部のものに、直接触れることがないようにしてある。
【００１６】
上記において、メッシュ部材５と補強枠部材６と径方向補強部材７を一体に取り付け、更には、上記メッシュ部材５と補強枠部材６と径方向補強部材７の一体化物の周縁部に上記布テープ８を取り付ける際の取付手段としては、たとえば、各部材を縫い合わせるようにすればよい。
【００１７】
上記馬蹄形状のメッシュ部材５における周方向両端部には、該両端部同士を取り外し可能に連結するための連結具として、たとえば、図２（イ）（ロ）に示したシート部材２の周方向の両端部に取り付けたものと同様にリングスナップ３のオス部材３ａとメス部材３ｂとをそれぞれ取り付けて、本考案のエリザベスカラー１ａを形成する。
【００１８】
その他、図２（イ）（ロ）に示したものと同一のものには同一符号が付してある。
【００１９】
以上の構成としてあるエリザベスカラー１ａを使用する場合は、従来のエリザベスカラー１と同様に、先ず、馬蹄形状に展開された状態のエリザベスカラー１ａの中央部に形成される円弧の内側に、対象となる動物４の頸部を位置させた後、該エリザベスカラー１ａの全体形状を、上記動物４の頭部の周りを取り囲むように漏斗状に丸める。しかる後、上記スナップボタン３のオス部材３ａとメス部材３ｂとを係止させる。これにより、全体形状が漏斗形状とされる上記エリザベスカラー１ａの一端側に形成される小径の開口部が、上記動物４の頸部の外周に装着されて保持される。又、該動物４の頭部の周りには、上記エリザベスカラー１ａのメッシュ部材５が、全周に亘って取り囲むように配されるようになることから、該動物４が、胴部における怪我や手術後の傷口のある患部や皮膚疾患のある患部に対して口を近付けることが未然に防止されるようになる。
【００２０】
このように、本考案のエリザベスカラー１ａによれば、従来のエリザベスカラー１と同様に、動物４の怪我や手術後の傷口、あるいは皮膚疾患のある患部を該動物４の口から保護することができる。
【００２１】
更に、上記エリザベスカラー４ａは、全面に配される馬蹄形状の部材を、メッシュ部材５としてあることから、従来のエリザベスカラー１に比して軽量化を図ることができる。
しかも、上記メッシュ部材５は、周縁部に取り付けた補強枠部材６により補強することで、その馬蹄形状の外形を良好に保持できるようにしてあり、更に、上記メッシュ部材５における周方向所要間隔の３個所には、径方向に延びる径方向補強部材７を取り付けて補強してあると共に、該各径方向補強部材７の両端部は、補強枠部材６の外周円弧部６ａと内周円弧部６ｂにそれぞれ連結することで、より確実に馬蹄形状の外形を保持できるようにしてある。したがって、上記エリザベスカラー１ａ全体に、該エリザベスカラー１ａを頸部に装着した動物４が、胴体部の怪我や手術あるいは皮膚疾患による患部を舐めたり噛んだりしようとする動作を行うときにも容易に屈曲しないような強度を十分に確保することができる。
【００２２】
しかも、上記エリザベスカラー１ａは、補強枠部材６が取り付けられている周縁部と、径方向補強部材７が取り付けられている部分を除いて、その大部分をメッシュ部材５のみによって形成してあるため、通気性を確保することができる。
【００２３】
以上により、上記エリザベスカラー１ａを用いることで、装着対象動物４にかかる負担の軽減化を図ることが可能となる。
【００２４】
なお、本考案は、上記実施の形態のみに限定されるものではなく、装着対象となる動物４の頸部の太さや、頭部の大きさに応じて、エリザベスカラー１ａの全体のなす馬蹄形状の内径や外径、切り欠く角度範囲等は適宜変更してもよい。
【００２５】
馬蹄形状としてあるエリザベスカラー１ａの周方向両端部を取り外し可能に連結する連結具としては、装着対象となる動物４の動きによっても容易に外れないようにすることができ、且つ軽量な連結具であれば、たとえば、面ファスナ等、リングスナップ３以外のいかなる連結具を採用してもよい。
【００２６】
メッシュ部材５と、補強枠部材６と、径方向補強部材７と、縁取りを行うための布テープ８は、いずれも縫い合わせるものとして説明したが、これらの各部材を互いに強固に接合することができれば、接着やその他のいかなる取付手段を用いるようにしてもよい。
【００２７】
上記補強枠部材６と径方向補強部材７は、別体のものとして示したが、１枚のプラスチック製の薄板材料より一体物として切り出して形成させるようにしてもよい。
【００２８】
その他本考案の要旨を逸脱しない範囲内で種々変更を加え得ることは勿論である。
【図面の簡単な説明】
【００２９】
【図１】本考案のエリザベスカラーの実施の一形態を示すもので、（イ）は概略平面図、（ロ）は動物の頸部に装着した状態を示す概略斜視図である。
【図２】従来一般に用いられているエリザベスカラーの一例を示すもので、（イ）は概略平面図、（ロ）は動物の頸部に装着した状態を示す概略斜視図である。
【符号の説明】
【００３０】
１ａ  エリザベスカラー
３  リングスナップ（連結具）
３ａ  オス部材
３ｂ  メス部材
４  動物
５  メッシュ部材
６  補強枠部材
７  径方向補強部材
８  布テープ
【図１】
0003126976.tif 000003
【図２】
0003126976.tif 000004